(57)【要約】【課題】  本発明は、部品数を減らし、デッキに形成されたガイドレールにポールベース組立体が結合された状態で、安定的に動作できるよう改善された構造を有する磁気記録／再生装置を提供することにその目的がある。【解決手段】   本発明に係る磁気記録／再生装置は、ローディング時にヘッドドラムに磁気テープが巻かれるようガイドし、アンローディング時に前記ヘッドドラムから磁気テープを復帰させるポールベース組立体と、前記ポールベース組立体が挿入される挿入溝と前記ポールベース組立体のローディング／アンローディングをガイドするよう前記挿入溝に連結されたスリットからなるガイドレールが形成されたデッキと、前記ガイドレールに挿入されたポールベース組立体の離脱を防止するための離脱防止ユニットとを含む。【選択図】      図２
2006054042.tif 000002
【特許請求の範囲】
【請求項１】
ローディング時ヘッドドラムに磁気テープが巻かれるようガイドし、アンローディング時前記ヘッドドラムから磁気テープを復帰させるポールベース組立体と、
前記ポールベース組立体が挿入される挿入溝と前記ポールベース組立体のローディング／アンローディングをガイドするよう、前記挿入溝に連結されたスリットからなるガイドレールが形成されたデッキと、
前記ガイドレールに挿入されたポールベース組立体の離脱を防止するための離脱防止ユニットとを含むことを特徴とする磁気記録／再生装置。
【請求項２】
前記離脱防止ユニットは、
前記デッキに回動自在に設けられ、前記ポールベース組立体のアンローディング時、前記ポールベース組立体が前記挿入溝に移動することを干渉する回動ユニットと、
前記デッキに固定され前記回動ユニットが前記アンローディング方向に移動するポールベース組立体に押され移動されることを規制する規制突起とを含むことを特徴とする請求項１に記載の磁気記録／再生装置。
【請求項３】
前記回動ユニットは、
ローディング時前記磁気テープの走行をガイドする第１位置とアンローディング時前記ポールベース組立体の移動を抑制する第２位置との間で移動するよう前記デッキに設けられるピンチアームと、
前記ピンチアームの一端に設けられるピンチローラと、
前記ピンチアームから所定距離だけ延びて前記第２位置で前記ポールベース組立体に接触する干渉突起とを含むことを特徴とする請求項２に記載の磁気記録／再生装置。
【請求項４】
前記回動ユニットは、
前記ピンチアームと同軸に設けられ回動し、前記磁気テープの走行をガイドするレビューポールが設けられたレビューアームと、
前記レビューアームと前記ピンチアームとを連結するスプリングと、を更に含むことを特徴とする請求項３に記載の磁気記録／再生装置。
【請求項５】
前記干渉突起は、前記ピンチアームに一体形成されることを特徴とする請求項３に記載の磁気記録／再生装置。
【請求項６】
前記規制突起は、前記デッキから所定の高さだけ突出して一体形成されることを特徴とする請求項２〜５のいずれか一項に記載の磁気記録／再生装置。
【請求項７】
前記離脱防止ユニットは、
前記デッキに回動自在に設けられ、前記ポールベース組立体のアンローディング時、前記ポールベース組立体が前記挿入溝に移動することを干渉する回動ユニットと、
前記回動ユニットを連動させるよう前記デッキに移動可能に設けられ、前記回動ユニットの回動範囲を規制する連動ユニットとを含むことを特徴とする請求項１に記載の磁気記録／再生装置。
【請求項８】
前記連動ユニットは、
前記デッキに往復摺動自在に設けられる摺動部材と、
前記デッキに回転自在に設けられ、前記摺動部材及び前記回動部材それぞれに連動されるよう連結される連動部材とを含むことを特徴とする請求項７に記載の磁気記録／再生装置。
【請求項９】
前記離脱防止ユニットは、
前記デッキに固定され前記回動ユニットが前記アンローディング方向に移動するポールベース組立体に押され移動されることを強制に規制する規制突起を更に含むことを特徴とする請求項７または８に記載の磁気記録／再生装置。
【発明の詳細な説明】
【技術分野】
【０００１】
本発明は、テープのような記録媒体に情報を記録したり記録された情報を再生する磁気記録／再生装置に関する。
【背景技術】
【０００２】
最近、各種行事や趣味生活及びレジャー生活などにおいて、主に愛用されている持ち歩きできる小型映像撮影装置の普及が増加しつつある。このような映像撮影装置はデジタル技術の発展及びデジタル映像の使用が拡大されるにつれ、従来のアナログ方式の製品をデジタルカメラとデジタルカムコーダなどに取り替えている。
【０００３】
一方、カムコーダは周知のようにテープレコーダとカメラの機能を一体化したことにより、願望の映像情報を録画して再生したり編集することができる映像撮影装置であり、主に８ｍｍ、６ｍｍ、４ｍｍなどの規格を有する磁気テープが記録媒体として使用されている。従って、通常のカムコーダには磁気テープを磁気ヘッドによりスキャニングし情報を記録／再生するための磁気記録／再生装置が取付けられる。
【０００４】
一般に、磁気記録／再生装置は磁気テープをスキャニングし情報を記録／再生するためのヘッドドラムが回転自在に設けられるメーンデッキと、前記メーンデッキに所定距離だけ往復摺動自在に設けられるサブデッキとを備える。前記サブデッキにテープカセットが取付けられると、サブデッキがヘッドドラムの方に移動しながらローディングされる。このとき、メーンデッキに摺動自在に設けられる一対のポールベース組立体が磁気テープを引出してヘッドドラムに所定距離だけ巻かれるようローディングさせる。
【０００５】
従って、前記メーンデッキには前記ポールベース組立体の移動をガイドするためのガイドレールを有するレールプレートが別の部品として設けられる。また、前記メーンデッキ上には磁気テープの走行をガイドするためのテンションポール、キャプスタン軸、ピンチローラ及びレビューポールなどが所定の位置に設けられる。
【０００６】
一方、前記のような磁気記録／再生装置の場合は、メーンデッキに設けられるサブデッキ、前記レールプレートなどのように多くの部品からなっている。従って、構造が複雑になって生産性が低減し、製造コストがアップする問題点がある。
【０００７】
このような点を鑑みて前記サブデッキの削除された１つのデッキを用いて、磁気テープのローディング／アンローディングできる磁気記録／再生装置の開発が行われている。また、前記サブデッキのみならずレールプレートも削除して、デッキに直にポールベース組立体の移動をガイドするガイドレールを形成させた構成が開発されている。
【発明の開示】
【発明が解決しようとする課題】
【０００８】
本発明は、前記のような点を鑑みてなされたものであって、その目的は部品数を減らし、デッキに形成されたガイドレールにポールベース組立体が結合された状態で安定的に動作できるよう改善された構造を有する磁気記録／再生装置を提供することにある。
【課題を解決するための手段】
【０００９】
前記目的を達成するための本発明による磁気記録／再生装置は、ローディング時にヘッドドラムに磁気テープが巻かれるようガイドし、アンローディング時に前記ヘッドドラムから磁気テープを復帰させるポールベース組立体と、前記ポールベース組立体が挿入される挿入溝と前記ポールベース組立体のローディング／アンローディングをガイドするよう前記挿入溝に連結されたスリットからなるガイドレールが形成されたデッキと、前記ガイドレールに挿入されたポールベース組立体の離脱を防止するための離脱防止ユニットとを含むことを特徴とする。
【００１０】
ここで、前記離脱防止ユニットは、前記デッキに回動自在に設けられ、前記ポールベース組立体のアンローディング時、前記ポールベース組立体が前記挿入溝に移動することを干渉する回動ユニットと、前記デッキに固定され前記回動ユニットが前記アンローディング方向に移動するポールベース組立体に押され移動されることを規制する規制突起とを含むことが好ましい。
【００１１】
また、前記回動ユニットは、ローディング時に前記磁気テープの走行をガイドする第１位置、及びアンローディング時に前記ポールベース組立体の移動を抑制する第２位置の間で移動するよう前記デッキに設けられるピンチアームと、前記ピンチアームの一端に設けられるピンチローラと、前記ピンチアームから所定距離だけ延びて前記第２位置で前記ポールベース組立体に接触される干渉突起とを含むことが好ましい。
【００１２】
また、前記回動ユニットは、前記ピンチアームと同軸に設けられて回動され、前記磁気テープの走行をガイドするレビューポールが設けられたレビューアームと、前記レビューアームと前記ピンチアームとを連結するスプリングとを更に含むことが好ましい。
【００１３】
また、前記干渉突起は前記ピンチアームに一体形成されることが好ましい。
【００１４】
また、前記規制突起は前記デッキから所定の高さだけ突出されるよう一体形成されることが好ましい。
【００１５】
また、前記離脱防止ユニットは前記デッキに回動自在に設けられ、前記ポールベース組立体のアンローディング時に前記ポールベース組立体が前記挿入溝に移動することを干渉する回動ユニットと、前記回動ユニットを連動させるよう前記デッキに移動可能に設けられ、前記回動ユニットの回動範囲を規制する連動ユニットとを含むことが好ましい。
【００１６】
また、前記連動ユニットは、前記デッキに往復摺動自在に設けられる摺動部材と、前記デッキに回転自在に設けられ前記摺動部材及び前記回動部材それぞれに連動されるよう連結される連動部材とを含むことが好ましい。
【００１７】
また、前記離脱防止ユニットは、前記デッキに固定され前記回動ユニットが前記アンローディング方向に移動するポールベース組立体に押され移動されることを強制に規制する規制突起を更に含むことが好ましい。
【発明の効果】
【００１８】
本発明によると、デッキに形成されたガイドレールからポールベース組立体が離脱されることを防止できる。従って、ポールベース組立体の離脱による機器の故障や誤動作を防止して製品の信頼性を向上できる。
【発明を実施するための最良の形態】
【００１９】
以下、添付した図面に基づいて本発明の好適な実施形態による磁気記録／再生装置を詳説する。
【００２０】
（実施形態）
図１に示すように、本発明の実施形態による磁気記録／再生装置は、ローディングモータ１１とヘッドドラム組立体１２などのような一連の駆動機構が設けられるデッキ１０と、デッキ１０に摺動自在に設けられる一対のポールベース組立体２０、３０と、ポールベース組立体２０、３０がデッキ１０から分離されることを防止するための離脱防止ユニット４０とを備える。
【００２１】
デッキ１０は四方の側壁が一体形成されたワンシャーシ型デッキとして既存のサブデッキを削除した構造である。デッキ１０にはポールベース組立体２０、３０それぞれが結合され往復移動できるよう一対のガイドレール１３、１４が形成される。ガイドレール１３、１４は、ポールベース組立体２０、３０の組立時に挿入される挿入溝１３ａ、１４ａと、挿入溝１３ａ、１４ａに連結されるスリット１３ｂ、１４ｂとを有する。挿入溝１３ａ、１４ａに挿入され結合されたポールベース組立体２０、３０はスリット１３ｂ、１４ｂに沿って往復移動しながら、磁気テープをヘッドドラム１２に巻かれるようローディングさせるか、アンローディングさせる。
【００２２】
一対のポールベース組立体２０、３０それぞれは、ガイドレール１３、１４に沿って移動するポールベース２１、３１と、ポールベース２１、３１に支持され磁気テープの走行をガイドする複数のガイド部材２３、２５、３３、３５とを備える。ガイド部材２３、２５、３３、３５の形状及び数は多様な実施形態が可能である。
【００２３】
一対のポールベース組立体２０、３０は各挿入溝１３ａ、１４ａに挿入された状態でリンク５１、５３の端部に連結される。リンク５１、５３はデッキ１０の下側に回転自在に設けられるローディングギア５２、５４にリンク連結される。ローディングギア５２、５４は互いに連動され回転しながら、ポールベース組立体２０、３０をローディング／アンローディングさせる。
【００２４】
図２に示すように、ローディングギア５２、５４のいずれか１つはデッキ１０に設けられたメーンカムギア１７に連結され連動される。メーンカムギア１７は動力伝達ユニット（図示せず）を介してローディングモータ１１から動力を伝達され回転する。
【００２５】
また、デッキ１０にはテープカセットのテープリールが結合される一対のリールテーブル１５、１６が設けられる。
【００２６】
前記のように、ポールベース組立体２０、３０が挿入溝１３ａ、１４ａに挿入された状態でリンク５１、５３と連結されても、挿入溝１３ａ、１４ａを介して再び離脱される恐れがある。従って、離脱防止ユニット４０はガイドレール１３、１４からポールベース組立体２０、３０が分離されることを防止する。離脱防止ユニット４０は、デッキ１０に回動自在に設けられる回動ユニット４１と、デッキ１０に設けられ回動ユニット４１の回動範囲を限定する連動ユニット６０及び規制突起４９を備える。
【００２７】
回動ユニット４１はデッキ１０に回動自在に設けられるピンチアーム４２と、ピンチアーム４２に同軸に設けられ共に回動するレビューアーム４４及びピンチアーム４２とレビューアーム４４とを連結するスプリング４６を備える。ピンチアーム４２の自由端部にはピンチローラ４３が回転自在に設けられる。
【００２８】
ピンチアーム４２はポールベース組立体２０、３０のローディング時、磁気テープの走行をガイドするよう図４の第１位置に回動する。第１位置ではピンチローラ４３がキャプスタン軸１８ａに圧着され磁気テープの走行をガイドする。キャプスタン軸１８ａはデッキ１０の下側に設けられるキャプスタンモータ１８により回転する。キャプスタンモータ１８の動力はリールテーブル１５、１６を駆動させるために用いられる。
【００２９】
また、レビューアーム４４の端部にはレビューポール４５が設けられる。レビューアーム４４がピンチアーム４２と共に第１位置に移動する時にレビューポール４５が磁気テープの走行をガイドする。
【００３０】
ここで、回動ユニット４１はデッキ１０に移動可能に設けられる連動ユニット６０により連動され回動範囲が制限される。連動ユニット６０は、メーンカムギア１７によりデッキ１０に往復摺動自在に設けられる摺動部材６１と、摺動部材６１及び回動ユニット４１を連結させる連動部材６３とを備える。以下、連動ユニット６０と回動ユニット４１の連動メカニズムについて具体的に説明する。
【００３１】
即ち、図２及び図３に示すように、摺動部材６１はメーンカムギア１７のカム溝１７ａに嵌め込まれるカム突起６１ａを有する。従って、メーンカムギア１７の回転方向に応じて、Ｍ１方向またはＭ２方向に移動する。そして、摺動部材６１と連動部材６３により回動ユニット４１とが連結されている。連動部材６３の一端に備えられた回動ピン６３ａはデッキ１０に回転自在に結合される。そして、連動部材６３の中心付近に備えられた連動ピン６３ｂと摺動部材６１に形成されたカム溝６１ｂとが連結されている。そして、連動部材６３の他端部に備えられたカム溝６３ｃには回動ユニット４１に備えられた連動ピン４４ａが結合され連動される。連動ピン４４ａはレビューアーム４４に一体形成される。かかる構成によって、図４に示すように、摺動部材６１がＭ１方向に移動すれば、回動ユニット４１は連動部材６３に連動されＲ方向に回動され第１位置に移動する。また、図４の第１位置で摺動部材６１がＭ２方向に移動すれば、回動ユニット４１は再び図２の第２位置に移動する。このように、回動ユニット４１は摺動部材６１と連動部材６３とのメカニズムによりその回動範囲が限定される。
【００３２】
一方、ピンチアーム４２には干渉突起４２ａが備えられる。干渉突起４２ａはピンチアーム４２から所定距離、即ち、ポールベース組立体３０の移動経路と交差できる距離まで延びて一体形成されることが好ましい。干渉突起４２ａは、ピンチアーム４２が図２の第２位置に移動した時、ポールベース組立体３０と接触される。従って、ポールベース組立体３０がアンローディング時に挿入溝１４ａへ移動されることを防止する。
【００３３】
規制突起４９はデッキ１０から所定の高さだけ突出して一体形成される。規制突起４９はピンチアーム４２がポールベース組立体３０に押され強制に更に移動されることを防止するため、ピンチアーム４２が第２位置で停止されるよう規制する。
【００３４】
ここで、ローディングギア５２、５４が互いに連動されるよう連結されているので、一対のポールベース組立体２０、３０のいずれか１つのポールベース組立体３０の移動を規制すれば、他のポールベース組立体２０が挿入溝１３ａに移動されることも規制できる。
【００３５】
かかる構成によれば、ガイドレール１３、１４に結合されたポールベース組立体２０、３０は、離脱防止ユニット４０により挿入溝１３ａ、１４ａに移動されることが防止される。
【００３６】
前記のような構成を有する磁気記録／再生装置の場合、図５Ａに示すように、まず、一対のポールベース組立体２０、３０をデッキ１０の挿入溝１３ａ、１４ａに嵌め込んで、スリット１３ｂ、１４ｂ上で摺動自在に結合する。
【００３７】
次に、図５Ｂに示すように、ローディングギア５２、５４をそれぞれデッキ１０の底面に回転自在に結合する。このとき、一側１つのローディングギア５４はローディングモータ１１と動力的に連結されるようメーンカムギア１７に連結されることにより、回転駆動が可能な状態で組立てられる。
【００３８】
そして、図５Ｃに示すように、一対のポールベース組立体２０、３０とローディングギア５２、５４とはリンク５１、５３により互いに連結されるよう連動可能な状態で組立てられる。
【００３９】
前述したように、ポールベース組立体２０、３０をデッキ１０のガイドレール１３、１４に結合させ摺動自在な状態で組立てた後、回動ユニット４１をデッキ１０に組立てる。即ち、図３に示すように、回動ユニット４１の回動軸孔４１ａをデッキ１０に突出されるよう設けられた固定軸１０ａに嵌め込んで結合する。そして、連動部材６３と摺動部材６１をデッキ１０の底面に組立てる。
【００４０】
このとき、図２に示すように、ピンチアーム４２の干渉突起４２ａがポールベース組立体３０のアンローディング方向に対し先立って位置するよう組立てる。
【００４１】
前記のような構成を有する本発明の実施形態による磁気記録／再生装置は、図２の状態でメーンカムギア１７が矢印方向（反時計周り）に回動駆動されれば、一対のポールベース組立体２０、３０は各ガイドレール１３、１４に沿ってヘッドドラム１１の方に移動し、磁気テープをヘッドドラム１１に巻かれるようローディングさせる。これと同時に、摺動部材６１はＭ１方向に移動しながら連動部材６３について回動ピン６３ａを中心にして反時計周りに回動させる。これに従って、回動ユニット４１は連動部材６３に連動され時計周りに回動する。従って、図４に示すように、各ポールベース組立体２０、３０はガイドレール１３、１４の先端に移動し、ピンチローラ４３は矢印Ｘ方向に移動してキャプスタン軸１８ａに密着される。そして、レビューアーム４４は連動部材５３により矢印Ｔ方向に加圧される。即ち、ピンチローラ４３がキャプスタン軸１８ａに接触される前にはピンチアーム４２とレビューアーム４４が同時に回動する。そして、ピンチローラ４３がキャプスタン軸１８ａに接触された後にはレビューアーム４４のみ更に加圧され移動される。これに従って、ピンチアーム４２は、レビューアーム４４に連結されたスプリング４６の弾性力によりキャプスタン軸１８ａに密着され、それら１８ａ、４３の間で走行する磁気テープをガイドする。
【００４２】
一方、図４の状態で磁気テープのアンローディングのためにはメーンカムギア１７は時計周りに回転する。すると、ポールベース組立体２０、３０と回動ユニット４１は図２に示している初期位置に同時に復帰する。このとき、ピンチアーム４２は互いに連動される摺動部材６１及び連動部材６３の移動範囲が限定されるに従って、初期位置、即ち、反時計周りに回動されることが所定の位置で抑制される。すると、干渉突起４２ａは挿入溝１４ａに隣接した部位に位置する。この状態で、ポールベース組立体３０もスリット１４ｂに沿って挿入溝１４ａの方に復帰する際、干渉突起４２ａに接触され移動できなくなる。もちろん、駆動ギア５２、５４によりポールベース組立体３０と共に連動する他のポールベース組立体２０も挿入溝１３ａの方に移動できなくなる。従って、ポールベース組立体２０、３０が挿入溝１３ａ、１４ａを介して離脱されることを防止できる。
【００４３】
より詳しくは、デッキ１０に規制突起４９を形成することにより、ピンチアーム４２が反時計周りに回動する範囲を更に規制できる。また、ピンチアーム４２が規制突起４９にかかっているため、ポールベース組立体３０が挿入溝１４の方に復帰できないよう制御されている。
【００４４】
以上では、本発明の原理を例示するために本発明の好適な実施形態について図示し説明したが、本発明は上述した特定の実施形態に限定されるものではなく、特許請求の範囲で請求している本発明の要旨を逸脱することなく、本発明に対する種々の変形及び修正が可能であることは当業者であれば理解できることであろう。よって、そのような変更及び修正は本発明の特許請求の範囲に含まれるものと見なすべきである。
【図面の簡単な説明】
【００４５】
【図１】本発明の実施形態による磁気記録／再生装置を示す概略的な分離斜視図である。
【図２】本発明の実施形態による磁気記録／再生装置を示す平面図である。
【図３】図１の要部を抜粋して示す分離斜視図である。
【図４】図２の状態でローディングされた状態を示す平面図である。
【図５Ａ】図１に示したポールベース組立体の組立過程を説明するための概略的な斜視図である。
【図５Ｂ】図１に示したポールベース組立体の組立過程を説明するための概略的な斜視図である。
【図５Ｃ】図１に示したポールベース組立体の組立過程を説明するための概略的な斜視図である。
【符号の説明】
【００４６】
１０  デッキ
１１  駆動モータ
１２  ヘッドドラム
１３，１４  ガイドレール
１７  メーンカムギア
１８  キャプスタンモータ
２０、３０  ポールベース組立体
４０  離脱防止ユニット
４１  回動ユニット
４２  ピンチアーム
４４  レビューアーム
４６  スプリング
５１、５３  リンク
５２、５４  ローディングギア
６０  連動ユニット
６１  摺動部材
６３  連動部材
【図１】
2006054042.tif 000003
【図２】
2006054042.tif 000004
【図３】
2006054042.tif 000005
【図４】
2006054042.tif 000006
【図５Ａ】
2006054042.tif 000007
【図５Ｂ】
2006054042.tif 000008
【図５Ｃ】
2006054042.tif 000009